(57)【要約】      （修正有）【課題】重りの少なくとも一方において少なくとも一個の振動吸収スペーサを設置し、さらに位置決め部材によって重りをヘッド本体の組立凹部に結合することにより、結合の信頼性を高めると共に、ゴルフクラブヘッドの重心位置を調整することができる。【解決手段】位置決め部材４、重り２および少なくとも一個の振動吸収スペーサ３が含まれる。位置決め部材４には本体４０が形成され、そして位置決め部材４には本体４０から延伸するように環状壁４１が形成される。重り２は位置決め部材４の環状壁４１の内に収容され、振動吸収スペーサ３は対応するように重り２の少なくとも一方に設置され、位置決め部材４により重り２をヘッド本体１に位置決めさせ、さらに振動吸収スペーサ３により打球時に生じられる振動を吸収するように構成されている。【選択図】図１
0003136691.tif 000002
【実用新案登録請求の範囲】
【請求項１】
位置決め部材（４）、重り（２）および少なくとも一個の振動吸収スペーサ（３）が含まれる取り外し可能なゴルフクラブヘッドの重りであって、位置決め部材（４）には本体（４０）が形成され、そして位置決め部材（４）には本体（４０）から延伸するように環状壁（４１）が形成され、重り（２）は位置決め部材（４）の環状壁（４１）の内に収容され、少なくとも一個の振動吸収スペーサ（３）は対応するように重り（２）の少なくとも一方に設置され、位置決め部材（４）により重り（２）をヘッド本体（１）に位置決めさせ、さらに振動吸収スペーサ（３）により打球時に生じられる振動を吸収するように形成されることを特徴とする取り外し可能なゴルフクラブヘッドの重り。
【請求項２】
ヘッド本体（１）にはソール部（１４）が形成され、そしてソール部（１４）において組立凹部（１６）が凹むように設けられることを特徴とする請求項１記載の取り外し可能なゴルフクラブヘッドの重り。
【請求項３】
位置決め部材（４）の環状壁（４１）は対応するようにヘッド本体（１）の組立凹部（１６）に組み立てられることを特徴とする請求項２記載の取り外し可能なゴルフクラブヘッドの重り。
【請求項４】
ヘッド本体（１）には側壁部（１５）が形成され、そして側壁部（１５）において組立凹部（１６）が凹むように設けられることを特徴とする請求項１記載の取り外し可能なゴルフクラブヘッドの重り。
【請求項５】
位置決め部材（４）の環状壁（４１）は対応するようにヘッド本体（１）の組立凹部（１６）に組み立てられることを特徴とする請求項４記載の取り外し可能なゴルフクラブヘッドの重り。
【請求項６】
組立凹部（１６）の内環状周壁面には内ねじ（１６０）が設けられることを特徴とする請求項２または４記載の取り外し可能なゴルフクラブヘッドの重り。
【請求項７】
組立凹部（１６）の中心位置には選択的に位置決め孔（１６１）が設けられることを特徴とする請求項２または４記載の取り外し可能なゴルフクラブヘッドの重り。
【請求項８】
重り（２）の周壁面において当接突出リング（２０）が突出するように設けられることにより、組立凹部（１６）の内の位置決め孔（１６１）に当接することを特徴とする請求項７記載の取り外し可能なゴルフクラブヘッドの重り。
【請求項９】
重り（２）の一方は組立凹部（１６）の位置決め孔（１６１）に置き入れられることを特徴とする請求項７記載の取り外し可能なゴルフクラブヘッドの重り。
【請求項１０】
重り（２）は金属粉末に弾性樹脂を混入して形成されることを特徴とする請求項１記載の取り外し可能なゴルフクラブヘッドの重り。
【請求項１１】
振動吸収スペーサ（３）は選択的にゴムのスペーサまたはポリウレタンのスペーサからなることを特徴とする請求項１記載の取り外し可能なゴルフクラブヘッドの重り。
【請求項１２】
振動吸収スペーサ（３）には中心位置において重り（２）に対応するように組立孔（３０）が形成され、振動吸収スペーサ（３）は組立孔（３０）により重り（２）のその内の一方から重り（２）の当接突出リング（２０）に当接するまで嵌設されることを特徴とする請求項８記載の取り外し可能なゴルフクラブヘッドの重り。
【請求項１３】
本体（４０）の適当な位置には少なくとも二個の対称のプラグ孔（４００）が設けられることを特徴とする請求項１記載の取り外し可能なゴルフクラブヘッドの重り。
【請求項１４】
本体（４０）の中心位置には位置決め孔（４０１）が設けられ、そして重り（２）の他方は位置決め孔（４０１）から突出するように形成されることを特徴とする請求項１記載の取り外し可能なゴルフクラブヘッドの重り。
【請求項１５】
環状壁（４１）の外周壁には外ねじ（４１１）が形成され、外ねじ（４１１）は実質上として組立凹部（１６）の内ねじ（１６０）と対応するように形成されることを特徴とする請求項６記載の取り外し可能なゴルフクラブヘッドの重り。
【請求項１６】
重り（２）の比重はヘッド本体（１）の比重より大きくなるように形成されることを特徴とする請求項１記載の取り外し可能なゴルフクラブヘッドの重り。
【請求項１７】
重り（２）の比重はヘッド本体（１）の比重より小さくなるように形成されることを特徴とする請求項１記載の取り外し可能なゴルフクラブヘッドの重り。
【考案の詳細な説明】
【技術分野】
【０００１】
本考案は、取り外し可能なゴルフクラブヘッドの重りに関するもので、特に位置決め部材と少なくとも一個の振動吸収スペーサを利用して重りをヘッド本体に固く結合したり、またはヘッド本体から取り外すことができる取り外し可能なゴルフクラブヘッドの重りに係るものである。
【背景技術】
【０００２】
従来の取り外し可能なゴルフクラブヘッドの重りの構造としては、ヘッド本体と少なくとも一個の重りが含まれる。上記ヘッド本体にはソール部において組立凹部が凹むように設けられ、さらに上記組立凹部の中心にはねじ孔が貫穿して形成される。上記重りは比重の高い材料により製造され、上記重りの形状は上記組立凹部とは互いに補って対応するように形成されることにより、上記重りを上記組立凹部の内に組み立てることができ、さらに上記重りは中心位置に上記ねじ孔に対応する位置において孔が設けられる。このように、組立時において上記重りは上記組立凹部の内に予め位置合せして設置することができ、それからボルトを利用して上記組立凹部のねじ孔と上記重りの孔を位置合わせて螺合し、上記重りを上記ヘッド本体の表面に固設することにより、上記重りによりゴルフクラブヘッドの全体の重心位置を調整することができるため、ゴルフクラブヘッドの打球の安定性を高めることができるようにとしたものがある（例えば、特許文献１を参照）。
【特許文献１】アメリカ特許番号第６，７７３，３６０号
【考案の開示】
【考案が解決しようとする課題】
【０００３】
上記のような従来の取り外し可能なゴルフクラブヘッドの重りにおいては、一般として下記の問題点を有している。例えば、実際に使用してみると、上記ヘッド本体にはフェース板が形成され、そして上記フェース板を利用して打球を行う時、上記ボルトは上記フェース板の衝撃の応力によって生じた振動を受けることにより、上記ボルトと上記重りは段々と緩み出して脱落してしまうため、上記重りと上記ヘッド本体との間の結合の安定性が低下し、さらに組立の品質に影響を及ぼしてしまうという問題点を有している。このように、上記のような従来の取り外し可能なゴルフクラブヘッドの重りをさらに改良しなければならない。
【０００４】
本考案はこのような問題点に鑑みて考案したものであって、その目的とするところは、重りを位置決め部材の内に収容して位置決めし、そして上記重りの少なくとも一方において振動吸収スペーサを設置し、さらに上記位置決め部材をヘッド本体の組立凹部の内に設置し、上記振動吸収スペーサにより上記ヘッド本体が打球時に生じる振動と衝撃を吸収することにより、結合の信頼性と組立の品質を高めることができ、さらにゴルフクラブヘッドの重心位置を調整すると共に、ゴルフクラブヘッドの打球の安定性を高めることができる。また、上記位置決め部材を螺設の方式によって対応するように上記ヘッド本体の組立凹部に組み立てることにより、確実に組立の安定性を高めることができると共に、全体的な交換の便利性を高めることができる取り外し可能なゴルフクラブヘッドの重りを提供しようとするものである。
【０００５】
本考案の第一の目的は、重りの少なくとも一方において少なくとも一個の振動吸収スペーサを設置し、さらに位置決め部材によって上記重りをヘッド本体の組立凹部に結合することにより、結合の信頼性を高めることができると共に、ゴルフクラブヘッドの重心位置を調整することができる取り外し可能なゴルフクラブヘッドの重りを提供しようとするものである。
【０００６】
本考案の第二の目的は、位置決め部材の本体にプラグ孔を設置し、上記プラグ孔によって位置決め部材とヘッド本体の組立凹部を組み立てたり取り外したりすることにより、全体的な交換の便利性を高めることができる取り外し可能なゴルフクラブヘッドの重りを提供しようとするものである。
【課題を解決するための手段】
【０００７】
上記目的を達成するために、本考案による取り外し可能なゴルフクラブヘッドの重りは、下記のようになるものである。すなわち、
位置決め部材、重りおよび少なくとも一個の振動吸収スペーサが含まれる。位置決め部材には本体が形成され、そして位置決め部材には本体から延伸するように環状壁が形成される。重りは位置決め部材の環状壁の内に収容される。少なくとも一個の振動吸収スペーサは対応するように重りの少なくとも一方に設置される。位置決め部材により重りをヘッド本体に位置決めさせ、さらに振動吸収スペーサにより打球時に生じられる振動を吸収するように形成される。
【０００８】
本考案による取り外し可能なゴルフクラブヘッドの重りは、ヘッド本体にはソール部が形成され、そしてソール部において組立凹部が凹むように設けられることもできる。また、位置決め部材の環状壁は対応するようにヘッド本体の組立凹部に組み立てられることもできる。また、ヘッド本体には側壁部が形成され、そして側壁部において組立凹部が凹むように設けられることもできる。また、位置決め部材の環状壁は対応するようにヘッド本体の組立凹部に組み立てられることもできる。また、組立凹部の内環状周壁面には内ねじが設けられることもできる。また、組立凹部の中心位置には選択的に位置決め孔が設けられることもできる。また、重りの周壁面において当接突出リングが突出するように設けられることにより、組立凹部の内の位置決め孔に当接することもできる。また、重りの一方は組立凹部の位置決め孔に置き入れられることもできる。また、重りは金属粉末に弾性樹脂を混入して形成されることもできる。また、振動吸収スペーサは選択的にゴムのスペーサまたはポリウレタンのスペーサからなることもできる。また、振動吸収スペーサには中心位置において重りに対応するように組立孔が形成され、振動吸収スペーサは組立孔により重りのその内の一方から重りの当接突出リングに当接するまで嵌設されることもできる。また、本体の適当な位置には少なくとも二個の対称のプラグ孔が設けられることもできる。また、本体の中心位置には位置決め孔が設けられ、そして重りの他方は位置決め孔から突出するように形成されることもできる。また、環状壁の外周壁には外ねじが形成され、外ねじは実質上として組立凹部の内ねじと対応するように形成されることもできる。また、重りの比重はヘッド本体の比重より大きくなるように形成されることもできる。また、重りの比重はヘッド本体の比重より小さくなるように形成されることもできる。
【考案の効果】
【０００９】
本考案の取り外し可能なゴルフクラブヘッドの重りによれば、重りの少なくとも一方において少なくとも一個の振動吸収スペーサを設置し、さらに位置決め部材によって上記重りをヘッド本体の組立凹部に結合することにより、結合の信頼性を高めることができると共に、ゴルフクラブヘッドの重心位置を調整することができるという利点がある。
【００１０】
本考案の取り外し可能なゴルフクラブヘッドの重りによれば、位置決め部材の本体にプラグ孔を設置し、上記プラグ孔によって位置決め部材とヘッド本体の組立凹部を組み立てたり取り外したりすることにより、全体的な交換の便利性を高めることができるという利点がある。
【考案を実施するための最良の形態】
【００１１】
本考案の実施の形態について、以下、図面を参照して説明する。
【実施例１】
【００１２】
図１、２を参照すると、本考案の実施例１の取り外し可能なゴルフクラブヘッドの重りにはヘッド本体１、重り２、少なくとも一個の振動吸収スペーサ３および位置決め部材４が含まれる。本考案の実施例１において、ヘッド本体１はウッド型ヘッドからなり、そして単一の材質から一体成形または複数個の部材を組み立てて形成することができる。ヘッド本体１には実質上として打撃部１１（striking plate）、トー部１２（toe）、ヒール部１３（heel）、クラウン部（crown、図示せず）、ソール部１４（sole）と側壁部１５（skirt）などのウッド型ヘッドの基本構造が含まれ、そしてヘッド本体１には好ましくは選択的にソール部１４において組立凹部１６が凹むように設けられる。組立凹部１６の内環状周壁面には内ねじ１６０が設けられ、そして組立凹部１６の中心位置には選択的に位置決め孔１６１が設けられる。
【００１３】
再び図１、２を参照すると、本考案の実施例１の重り２は選択的に円柱体または多辺形の柱体などからなり、そして部分的な環状周壁面において適当に当接突出リング２０が形成され、当接突出リング２０の直径は実質上として組立凹部１６の内の位置決め孔１６１より大きくなるように形成され、このように重り２の一方が位置合せして組立凹部１６の位置決め孔１６１の内に嵌設された時、重り２はヘッド本体１の内部まで落下することがない。重り２は比重が相対的に比較的大きい材質により製造され、例えばタングステン−フェロ−ニッケル合金、炭素鋼、低炭素鋼、ステンレス鋼、合金鋼、低合金鋼、マルエージング鋼、鋳鉄、ニッケル合金またはその他の非金属の材質などにより製造され、そして実質上としてヘッド本体１の比重より大きくなるように形成され、しかし選択的にヘッド本体１の比重より小さい材質により製造することもできるため、それぞれ異なった比重の配置を提供することができる。また、重り２はサイズおよび材質、比重などの特性に基づいて選択的に取り換えることにより、ヘッド本体１の重心位置を調整することができる。また、重り２は金属粉末に弾性樹脂を混入して形成することもできるため、重り２そのものは振動吸収の効果を有するように形成される。実施例１において材質の種類は本考案の特徴ではなく、いかなるゴルフクラブヘッドに応用される従来の金属または非金属の材質は全て本考案の重り２の製造に応用することができる。
【００１４】
再び図１、２を参照すると、本考案の実施例１の振動吸収スペーサ３は弾性を有する材質からなり、例えばゴムまたはポリウレタン（ＰＵ）などの材質からなる。振動吸収スペーサ３には中心位置において重り２に対応するように組立孔３０が形成され、振動吸収スペーサ３は組立孔３０により重り２のその内の一方から重り２の当接突出リング２０に当接するまで嵌設されることができる。振動吸収スペーサ３は好ましくはそれぞれ重り２の両側に設置されることにより、振動吸収の効果を増やすことができる。
【００１５】
再び図１、２を参照すると、本考案の実施例１の位置決め部材４には本体４０が設けられ、本体４０の一方の適当な位置には少なくとも二個の対称のプラグ孔４００が設けられることにより、解除部材（図示せず）を利用して組み立てまたは取り外しを行うことができる。本体４０の中心位置には他に位置決め孔４０１が設けられ、そして重り２の他方は位置決め孔４０１から突出するように形成されることにより、使用者は位置決め孔４０１を利用して観察し、さらに適当な重り２を選択して使用することができる。
【００１６】
再び図１、２を参照すると、本考案の実施例１の位置決め部材４には本体４０の他方から延伸するように環状壁４１が形成されることにより、収容室４１０が形成され、そして環状壁４１の収容室４１０と重り２および振動吸収スペーサ３とは対応するような組立の関係を有するように形成される。また、環状壁４１の外周壁には外ねじ４１１が形成され、そして外ねじ４１１は実質上として組立凹部１６の内ねじ１６０と対応するように形成される。
【００１７】
図３を参照すると、本考案の実施例１の取り外し可能なゴルフクラブヘッドの重りを組み立てる時、先ず振動吸収スペーサ３を重り２のその内の一方に嵌め込んで、そして好ましくは重り２の両側にそれぞれ振動吸収スペーサ３を嵌め込む。それから、重り２を振動吸収スペーサ３と一緒に位置決め部材４の収容室４１０の内に置き入れることにより、振動吸収スペーサ３を位置決め部材４と重り２との間に固定させる。最後に、再び重り２の一方をもう一個の振動吸収スペーサ３と一緒に組立凹部１６の位置決め孔１６１に置き入れることにより、仮止めを形成し、さらに位置決め部材４の外ねじ４１１を組立凹部１６の内ねじ１６０に位置合せして対応するように螺合による組立を行うことにより、もう一個の振動吸収スペーサ３を組立凹部１６と重り２との間に固定させる。これにより、振動吸収スペーサ３によりヘッド本体１の打撃の応力を間接に吸収し、さらに緩衝することにより、ヘッド本体１の振動吸収の効果を増やすことができる。振動吸収スペーサ３と位置決め部材４との組合せにより、重り２の調整の自由度、組立の安定性と取り換えの便利性を高めることができ、さらに重り２をヘッド本体１に組み立てるとの結合の信頼性を高めることができる。
【実施例２】
【００１８】
図４を参照すると、本考案の実施例２の取り外し可能なゴルフクラブヘッドの重りが掲示される。実施例１と比較してみると、実施例２においてヘッド本体１もウッド型のヘッドからなり、ヘッド本体１には実質上として打撃部１１、トー部１２、ヒール部１３、クラウン部、ソール部１４と側壁部１５の基本構造が含まれ、そしてヘッド本体１の組立凹部１６は側壁部１５に凹むように設けられる。組立凹部１６はヘッド本体１の表面から内へ向かって延伸するように円形の凹部またはその他の幾何形状の凹部が設けられ、そして組立凹部１６は少なくとも側壁部１５の後半部に形成される。これにより、本考案の実施例２においても同様に位置決め部材４を利用して重り２をヘッド本体１の側壁部１５の組立凹部１６の内に固定することができるため、ウッド型ゴルフクラブヘッドの全体の重心を側壁部１５に接近するように調整することができる。そして、振動吸収スペーサ３と位置決め部材４との組合せにより、重り２の調整の自由度、組立の安定性と取り換えの便利性を高めることができ、さらにゴルフクラブヘッドの結合の信頼性を高めることができると共に、重心位置を調整することができる。
【実施例３】
【００１９】
図５を参照すると、本考案の実施例３の取り外し可能なゴルフクラブヘッドの重りが掲示される。実施例１、２と比較してみると、実施例３においてヘッド本体１はアイアン型のヘッドからなり、ヘッド本体１には実質上として打撃部（図示せず）、トー部１２、ヒール部１３、刃部１７（blade）とソール部１４の基本構造が含まれ、そしてヘッド本体１の組立凹部１６はソール部１４に凹むように設けられる。組立凹部１６はヘッド本体１の表面から内へ向かって延伸するように円形の凹部またはその他の幾何形状の凹部が設けられ、そして組立凹部１６は適当にヘッド本体１の内部へ向かって延伸するように形成される。これにより、本考案の実施例３においても同様に位置決め部材４を利用して重り２をヘッド本体１のソール部１４の組立凹部１６の内に固定することができるため、アイアン型ゴルフクラブヘッドの全体の重心をソール部１４の後側に接近するように調整することができる。そして、振動吸収スペーサ３と位置決め部材４との組合せにより、重り２の調整の自由度、組立の安定性と取り換えの便利性を高めることができ、さらにゴルフクラブヘッドの結合の信頼性を高めることができると共に、重心位置を調整することができる。
【産業上の利用可能性】
【００２０】
上述の如く、従来の取り外し可能なゴルフクラブヘッドの重りによれば、重りをヘッド本体の表面の組立凹部まで対応するように結合させ、さらにボルトを利用して螺合による組立を行うことにより、打球時において上記ボルトが緩み易くなって脱落したりするため、上記重りと上記ヘッド本体との間の結合の安定性が低下してしまうなどの問題点があったが、図１に示す本考案の取り外し可能なゴルフクラブヘッドの重りによれば、少なくとも一個の振動吸収スペーサ３を重り２の少なくとも一方に嵌め込み、再び重り２を振動吸収スペーサ３と一緒に共同で位置決め部材４の収容室４１０の内に収容し、さらに位置決め部材４の外ねじ４１１を組立凹部１６の内ねじ１６０に対応するように螺合することにより、確実に重り２をヘッド本体１まで組み立てるとの結合の信頼性と振動吸収性を高めることができ、さらにゴルフクラブヘッドの全体の重心位置を調整することができる。
【００２１】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２２】
【図１】本考案の実施例１の取り外し可能なゴルフクラブヘッドの重りによる分解斜視図である。
【図２】本考案の実施例１の取り外し可能なゴルフクラブヘッドの重りによる分解断面図である。
【図３】本考案の実施例１の取り外し可能なゴルフクラブヘッドの重りによる組み立てられた状態の断面図である。
【図４】本考案の実施例２の取り外し可能なゴルフクラブヘッドの重りによる分解斜視図である。
【図５】本考案の実施例３の取り外し可能なゴルフクラブヘッドの重りによる分解斜視図である。
【符号の説明】
【００２３】
１    ヘッド本体                    １１    打撃部
１２    トー部                        １３    ヒール部
１４    ソール部                      １５    側壁部
１６    組立凹部                    １６０    内ねじ
１６１    位置決め孔                    １７    刃部
２    重り                          ２０    当接突出リング
３    振動吸収スペーサ              ３０    組立孔
４    位置決め部材                  ４０    本体
４００    プラグ孔                    ４０１    位置決め孔
４１    環状壁                      ４１０    収容室
４１１    外ねじ
【図１】
0003136691.tif 000003
【図２】
0003136691.tif 000004
【図３】
0003136691.tif 000005
【図４】
0003136691.tif 000006
【図５】
0003136691.tif 000007
【手続補正書】
【提出日】平成19年8月15日(2007.8.15)
【手続補正１】
【補正対象書類名】実用新案登録請求の範囲
【補正対象項目名】全文
【補正方法】変更
【補正の内容】
【実用新案登録請求の範囲】
【請求項１】
位置決め部材（４）、重り（２）および少なくとも一個の振動吸収スペーサ（３）を含む、ゴルフクラブヘッドのヘッド本体（１）に取り外し可能に取り付けられるゴルフクラブヘッドの重りであって、位置決め部材（４）には本体（４０）が形成され、そして位置決め部材（４）には本体（４０）から延伸する環状壁（４１）が形成され、重り（２）は位置決め部材（４）の環状壁（４１）の内に収容され、少なくとも一個の振動吸収スペーサ（３）は重り（２）の少なくとも一方に設置され、位置決め部材（４）により重り（２）を上記ゴルフクラブヘッドのヘッド本体（１）に位置決めさせ、さらに振動吸収スペーサ（３）により打球時に生じる振動を吸収するように形成されることを特徴とする取り外し可能なゴルフクラブヘッドの重り。
【請求項２】
重り（２）は金属粉末に弾性樹脂を混入して形成されることを特徴とする請求項１記載の取り外し可能なゴルフクラブヘッドの重り。
【請求項３】
振動吸収スペーサ（３）は選択的にゴムのスペーサまたはポリウレタンのスペーサからなることを特徴とする請求項１記載の取り外し可能なゴルフクラブヘッドの重り。
【請求項４】
重り（２）の周壁面において当接突出リング（２０）が突出するように設けられ、振動吸収スペーサ（３）には中心位置において重り（２）に対応するように組立孔（３０）が形成され、振動吸収スペーサ（３）は組立孔（３０）により重り（２）のその内の一方から重り（２）に当接するまで嵌設されることを特徴とする請求項１記載の取り外し可能なゴルフクラブヘッドの重り。
【請求項５】
本体（４０）の適当な位置には少なくとも二個の対称のプラグ孔（４００）が設けられることを特徴とする請求項１記載の取り外し可能なゴルフクラブヘッドの重り。
【請求項６】
本体（４０）の中心位置には位置決め孔（４０１）が設けられ、そして重り（２）の他方は位置決め孔（４０１）から突出するように形成されることを特徴とする請求項１記載の取り外し可能なゴルフクラブヘッドの重り。
【請求項７】
位置決め部材（４）、重り（２）および少なくとも一個の振動吸収スペーサ（３）を含む取り外し可能な重りをヘッド本体（１）に備えたゴルフクラブヘッドであって、ヘッド本体（１）には打撃部（１１）が形成され、位置決め部材（４）には本体（４０）が形成され、そして位置決め部材（４）には本体（４０）から延伸する環状壁（４１）が形成され、重り（２）は位置決め部材（４）の環状壁（４１）の内に収容され、少なくとも一個の振動吸収スペーサ（３）は重り（２）の少なくとも一方に設置され、位置決め部材（４）により重り（２）をヘッド本体（１）に位置決めさせ、さらに振動吸収スペーサ（３）により打球時に生じる振動を吸収するように形成されることを特徴とする取り外し可能な重りを備えたゴルフクラブヘッド。
【請求項８】
ヘッド本体（１）にはソール部（１４）が形成され、そしてソール部（１４）において組立凹部（１６）が凹むように設けられることを特徴とする請求項７記載の取り外し可能な重りを備えたゴルフクラブヘッド。
【請求項９】
位置決め部材（４）の環状壁（４１）は対応するようにヘッド本体（１）の組立凹部（１６）に組み立てられることを特徴とする請求項８記載の取り外し可能な重りを備えたゴルフクラブヘッド。
【請求項１０】
ヘッド本体（１）には側壁部（１５）が形成され、そして側壁部（１５）において組立凹部（１６）が凹むように設けられることを特徴とする請求項７記載の取り外し可能な重りを備えたゴルフクラブヘッド。
【請求項１１】
位置決め部材（４）の環状壁（４１）は対応するようにヘッド本体（１）の組立凹部（１６）に組み立てられることを特徴とする請求項１０記載の取り外し可能な重りを備えたゴルフクラブヘッド。
【請求項１２】
組立凹部（１６）の内環状周壁面には内ねじ（１６０）が設けられることを特徴とする請求項８または１０記載の取り外し可能な重りを備えたゴルフクラブヘッド。
【請求項１３】
組立凹部（１６）の中心位置には選択的に位置決め孔（１６１）が設けられることを特徴とする請求項８または１０記載の取り外し可能な重りを備えたゴルフクラブヘッド。
【請求項１４】
重り（２）の周壁面において当接突出リング（２０）が突出するように設けられることにより、組立凹部（１６）の内の位置決め孔（１６１）に当接することを特徴とする請求項１３記載の取り外し可能な重りを備えたゴルフクラブヘッド。
【請求項１５】
重り（２）の一方は組立凹部（１６）の位置決め孔（１６１）に置き入れられることを特徴とする請求項１３記載の取り外し可能な重りを備えたゴルフクラブヘッド。
【請求項１６】
重り（２）は金属粉末に弾性樹脂を混入して形成されることを特徴とする請求項７記載の取り外し可能な重りを備えたゴルフクラブヘッド。
【請求項１７】
振動吸収スペーサ（３）は選択的にゴムのスペーサまたはポリウレタンのスペーサからなることを特徴とする請求項７記載の取り外し可能な重りを備えたゴルフクラブヘッド。
【請求項１８】
振動吸収スペーサ（３）には中心位置において重り（２）に対応するように組立孔（３０）が形成され、振動吸収スペーサ（３）は組立孔（３０）により重り（２）のその内の一方から重り（２）の当接突出リング（２０）に当接するまで嵌設されることを特徴とする請求項１４記載の取り外し可能な重りを備えたゴルフクラブヘッド。
【請求項１９】
本体（４０）の適当な位置には少なくとも二個の対称のプラグ孔（４００）が設けられることを特徴とする請求項７記載の取り外し可能な重りを備えたゴルフクラブヘッド。
【請求項２０】
本体（４０）の中心位置には位置決め孔（４０１）が設けられ、そして重り（２）の他方は位置決め孔（４０１）から突出するように形成されることを特徴とする請求項７記載の取り外し可能な重りを備えたゴルフクラブヘッド。
【請求項２１】
環状壁（４１）の外周壁には外ねじ（４１１）が形成され、外ねじ（４１１）は実質上として組立凹部（１６）の内ねじ（１６０）と対応するように形成されることを特徴とする請求項１２記載の取り外し可能な重りを備えたゴルフクラブヘッド。
【請求項２２】
重り（２）の比重はヘッド本体（１）の比重より大きくなるように形成されることを特徴とする請求項７記載の取り外し可能な重りを備えたゴルフクラブヘッド。
【請求項２３】
重り（２）の比重はヘッド本体（１）の比重より小さくなるように形成されることを特徴とする請求項７記載の取り外し可能な重りを備えたゴルフクラブヘッド。
【手続補正２】
【補正対象書類名】明細書
【補正対象項目名】全文
【補正方法】変更
【補正の内容】
【考案の詳細な説明】
【技術分野】
【０００１】
本考案は、取り外し可能なゴルフクラブヘッドの重り、並びに、その重りを備えたゴルフクラブヘッドに関するもので、特に位置決め部材と少なくとも一個の振動吸収スペーサを利用して重りをヘッド本体に固く結合したり、またはヘッド本体から取り外すことができる取り外し可能なゴルフクラブヘッドの重り及びそれを備えたゴルフクラブヘッドに係るものである。
【背景技術】
【０００２】
従来の取り外し可能なゴルフクラブヘッドの重りの構造としては、ヘッド本体と少なくとも一個の重りが含まれる。上記ヘッド本体にはソール部において組立凹部が凹むように設けられ、さらに上記組立凹部の中心にはねじ孔が貫穿して形成される。上記重りは比重の高い材料により製造され、上記重りの形状は上記組立凹部とは互いに補って対応するように形成されることにより、上記重りを上記組立凹部の内に組み立てることができ、さらに上記重りは中心位置に上記ねじ孔に対応する位置において孔が設けられる。このように、組立時において上記重りは上記組立凹部の内に予め位置合せして設置することができ、それからボルトを利用して上記組立凹部のねじ孔と上記重りの孔を位置合わせて螺合し、上記重りを上記ヘッド本体の表面に固設することにより、上記重りによりゴルフクラブヘッドの全体の重心位置を調整することができるため、ゴルフクラブヘッドの打球の安定性を高めることができるようにとしたものがある（例えば、特許文献１を参照）。
【特許文献１】アメリカ特許番号第６，７７３，３６０号
【考案の開示】
【考案が解決しようとする課題】
【０００３】
上記のような従来の取り外し可能なゴルフクラブヘッドの重り及びその重りを備えたゴルフクラブヘッドにおいては、一般として下記の問題点を有している。例えば、実際に使用してみると、上記ヘッド本体にはフェース板が形成され、そして上記フェース板を利用して打球を行う時、上記ボルトは上記フェース板の衝撃の応力によって生じた振動を受けることにより、上記ボルトと上記重りは段々と緩み出して脱落してしまうため、上記重りと上記ヘッド本体との間の結合の安定性が低下し、さらに組立の品質に影響を及ぼしてしまうという問題点を有している。このように、上記のような従来の取り外し可能なゴルフクラブヘッドの重りをさらに改良しなければならない。
【０００４】
本考案はこのような問題点に鑑みて考案したものであって、その目的とするところは、重りを位置決め部材の内に収容して位置決めし、そして上記重りの少なくとも一方において振動吸収スペーサを設置し、さらに上記位置決め部材をヘッド本体の組立凹部の内に設置し、上記振動吸収スペーサにより上記ヘッド本体が打球時に生じる振動と衝撃を吸収することにより、結合の信頼性と組立の品質を高めることができ、さらにゴルフクラブヘッドの重心位置を調整すると共に、ゴルフクラブヘッドの打球の安定性を高めることができる。また、上記位置決め部材を螺設の方式によって対応するように上記ヘッド本体の組立凹部に組み立てることにより、確実に組立の安定性を高めることができると共に、全体的な交換の便利性を高めることができる取り外し可能なゴルフクラブヘッドの重り及びその重りを備えたゴルフクラブヘッドを提供しようとするものである。
【０００５】
本考案の第一の目的は、重りの少なくとも一方において少なくとも一個の振動吸収スペーサを設置し、さらに位置決め部材によって上記重りをヘッド本体の組立凹部に結合することにより、結合の信頼性を高めることができると共に、ゴルフクラブヘッドの重心位置を調整することができる取り外し可能なゴルフクラブヘッドの重り及びその重りを備えたゴルフクラブヘッドを提供しようとするものである。
【０００６】
本考案の第二の目的は、位置決め部材の本体にプラグ孔を設置し、上記プラグ孔によって位置決め部材とヘッド本体の組立凹部を組み立てたり取り外したりすることにより、全体的な交換の便利性を高めることができる取り外し可能なゴルフクラブヘッドの重り及びその重りを備えたゴルフクラブヘッドを提供しようとするものである。
【課題を解決するための手段】
【０００７】
上記目的を達成するために、本考案による取り外し可能なゴルフクラブヘッドの重りは、下記のようになるものである。すなわち、
位置決め部材、重りおよび少なくとも一個の振動吸収スペーサが含まれる。位置決め部材には本体が形成され、そして位置決め部材には本体から延伸するように環状壁が形成される。重りは位置決め部材の環状壁の内に収容される。少なくとも一個の振動吸収スペーサは対応するように重りの少なくとも一方に設置される。位置決め部材により重りをヘッド本体に位置決めさせ、さらに振動吸収スペーサにより打球時に生じられる振動を吸収するように形成される。
【０００８】
本考案による取り外し可能なゴルフクラブヘッドの重りは、金属粉末に弾性樹脂を混入して形成されることもでき、また、振動吸収スペーサに選択的にゴムのスペーサまたはポリウレタンを用いることもできる。また、重りの周壁面において当接突出リングが突出するように設け、振動吸収スペーサはに中心位置において重りに対応する組立孔を形成し、振動吸収スペーサを組立孔により重りのその内の一方から重りに当接するまで嵌設させることもできる。さらに、本体の適当な位置に少なくとも二個の対称のプラグ孔を設けることもでき、また、本体の中心位置に位置決め孔を設け、そして重りの他方が位置決め孔から突出するように形成することもできる。
【０００９】
また、本考案による取り外し可能な重りを備えたゴルフクラブヘッドは、位置決め部材、重りおよび少なくとも一個の振動吸収スペーサを含む取り外し可能な重りをヘッド本体に備えたゴルフクラブヘッドである。そして、ヘッド本体には打撃部が形成され、位置決め部材には本体が形成され、そして位置決め部材には本体から延伸する環状壁が形成される。重りは位置決め部材の環状壁の内に収容され、少なくとも一個の振動吸収スペーサは重りの少なくとも一方に設置され、位置決め部材により重りをヘッド本体に位置決めさせ、さらに振動吸収スペーサにより打球時に生じる振動を吸収するように形成される。
【００１０】
本考案による取り外し可能な重りを備えたゴルフクラブヘッドは、ヘッド本体にはソール部が形成され、そしてソール部において組立凹部が凹むように設けられることもできる。また、位置決め部材の環状壁は対応するようにヘッド本体の組立凹部に組み立てられることもできる。また、ヘッド本体には側壁部が形成され、そして側壁部において組立凹部が凹むように設けられることもできる。また、位置決め部材の環状壁は対応するようにヘッド本体の組立凹部に組み立てられることもできる。また、組立凹部の内環状周壁面には内ねじが設けられることもできる。また、組立凹部の中心位置には選択的に位置決め孔が設けられることもできる。また、重りの周壁面において当接突出リングが突出するように設けられることにより、組立凹部の内の位置決め孔に当接することもできる。また、重りの一方は組立凹部の位置決め孔に置き入れられることもできる。また、重りは金属粉末に弾性樹脂を混入して形成されることもできる。また、振動吸収スペーサは選択的にゴムのスペーサまたはポリウレタンのスペーサからなることもできる。また、振動吸収スペーサには中心位置において重りに対応するように組立孔が形成され、振動吸収スペーサは組立孔により重りのその内の一方から重りの当接突出リングに当接するまで嵌設されることもできる。また、本体の適当な位置には少なくとも二個の対称のプラグ孔が設けられることもできる。また、本体の中心位置には位置決め孔が設けられ、そして重りの他方は位置決め孔から突出するように形成されることもできる。また、環状壁の外周壁には外ねじが形成され、外ねじは実質上として組立凹部の内ねじと対応するように形成されることもできる。また、重りの比重はヘッド本体の比重より大きくなるように形成されることもできる。また、重りの比重はヘッド本体の比重より小さくなるように形成されることもできる。
【考案の効果】
【００１１】
本考案の取り外し可能なゴルフクラブヘッドの重りによれば、重りの少なくとも一方において少なくとも一個の振動吸収スペーサを設置し、さらに位置決め部材によって上記重りをヘッド本体の組立凹部に結合することにより、結合の信頼性を高めることができると共に、ゴルフクラブヘッドの重心位置を調整することができるという利点がある。
【００１２】
本考案の取り外し可能なゴルフクラブヘッドの重りによれば、位置決め部材の本体にプラグ孔を設置し、上記プラグ孔によって位置決め部材とヘッド本体の組立凹部を組み立てたり取り外したりすることにより、全体的な交換の便利性を高めることができるという利点がある。
【考案を実施するための最良の形態】
【００１３】
本考案の実施の形態について、以下、図面を参照して説明する。
【実施例１】
【００１４】
図１、２を参照すると、本考案の実施例１の取り外し可能な重りを備えたゴルフクラブヘッドにはヘッド本体１、重り２、少なくとも一個の振動吸収スペーサ３および位置決め部材４が含まれる。本考案の実施例１において、ヘッド本体１はウッド型ヘッドからなり、そして単一の材質から一体成形または複数個の部材を組み立てて形成することができる。ヘッド本体１には実質上として打撃部１１（striking plate）、トー部１２（toe）、ヒール部１３（heel）、クラウン部（crown、図示せず）、ソール部１４（sole）と側壁部１５（skirt）などのウッド型ヘッドの基本構造が含まれ、そしてヘッド本体１には好ましくは選択的にソール部１４において組立凹部１６が凹むように設けられる。組立凹部１６の内環状周壁面には内ねじ１６０が設けられ、そして組立凹部１６の中心位置には選択的に位置決め孔１６１が設けられる。
【００１５】
再び図１、２を参照すると、本考案の実施例１の重り２は選択的に円柱体または多辺形の柱体などからなり、そして部分的な環状周壁面において適当に当接突出リング２０が形成され、当接突出リング２０の直径は実質上として組立凹部１６の内の位置決め孔１６１より大きくなるように形成され、このように重り２の一方が位置合せして組立凹部１６の位置決め孔１６１の内に嵌設された時、重り２はヘッド本体１の内部まで落下することがない。重り２は比重が相対的に比較的大きい材質により製造され、例えばタングステン−フェロ−ニッケル合金、炭素鋼、低炭素鋼、ステンレス鋼、合金鋼、低合金鋼、マルエージング鋼、鋳鉄、ニッケル合金またはその他の非金属の材質などにより製造され、そして実質上としてヘッド本体１の比重より大きくなるように形成され、しかし選択的にヘッド本体１の比重より小さい材質により製造することもできるため、それぞれ異なった比重の配置を提供することができる。また、重り２はサイズおよび材質、比重などの特性に基づいて選択的に取り換えることにより、ヘッド本体１の重心位置を調整することができる。また、重り２は金属粉末に弾性樹脂を混入して形成することもできるため、重り２そのものは振動吸収の効果を有するように形成される。実施例１において材質の種類は本考案の特徴ではなく、いかなるゴルフクラブヘッドに応用される従来の金属または非金属の材質は全て本考案の重り２の製造に応用することができる。
【００１６】
再び図１、２を参照すると、本考案の実施例１の振動吸収スペーサ３は弾性を有する材質からなり、例えばゴムまたはポリウレタン（ＰＵ）などの材質からなる。振動吸収スペーサ３には中心位置において重り２に対応するように組立孔３０が形成され、振動吸収スペーサ３は組立孔３０により重り２のその内の一方から重り２の当接突出リング２０に当接するまで嵌設されることができる。振動吸収スペーサ３は好ましくはそれぞれ重り２の両側に設置されることにより、振動吸収の効果を増やすことができる。
【００１７】
再び図１、２を参照すると、本考案の実施例１の位置決め部材４には本体４０が設けられ、本体４０の一方の適当な位置には少なくとも二個の対称のプラグ孔４００が設けられることにより、解除部材（図示せず）を利用して組み立てまたは取り外しを行うことができる。本体４０の中心位置には他に位置決め孔４０１が設けられ、そして重り２の他方は位置決め孔４０１から突出するように形成されることにより、使用者は位置決め孔４０１を利用して観察し、さらに適当な重り２を選択して使用することができる。
【００１８】
再び図１、２を参照すると、本考案の実施例１の位置決め部材４には本体４０の他方から延伸するように環状壁４１が形成されることにより、収容室４１０が形成され、そして環状壁４１の収容室４１０と重り２および振動吸収スペーサ３とは対応するような組立の関係を有するように形成される。また、環状壁４１の外周壁には外ねじ４１１が形成され、そして外ねじ４１１は実質上として組立凹部１６の内ねじ１６０と対応するように形成される。
【００１９】
図３を参照すると、本考案の実施例１の取り外し可能なゴルフクラブヘッドの重りを組み立てる時、先ず振動吸収スペーサ３を重り２のその内の一方に嵌め込んで、そして好ましくは重り２の両側にそれぞれ振動吸収スペーサ３を嵌め込む。それから、重り２を振動吸収スペーサ３と一緒に位置決め部材４の収容室４１０の内に置き入れることにより、振動吸収スペーサ３を位置決め部材４と重り２との間に固定させる。最後に、再び重り２の一方をもう一個の振動吸収スペーサ３と一緒に組立凹部１６の位置決め孔１６１に置き入れることにより、仮止めを形成し、さらに位置決め部材４の外ねじ４１１を組立凹部１６の内ねじ１６０に位置合せして対応するように螺合による組立を行うことにより、もう一個の振動吸収スペーサ３を組立凹部１６と重り２との間に固定させる。これにより、振動吸収スペーサ３によりヘッド本体１の打撃の応力を間接に吸収し、さらに緩衝することにより、ヘッド本体１の振動吸収の効果を増やすことができる。振動吸収スペーサ３と位置決め部材４との組合せにより、重り２の調整の自由度、組立の安定性と取り換えの便利性を高めることができ、さらに重り２をヘッド本体１に組み立てるとの結合の信頼性を高めることができる。
【実施例２】
【００２０】
図４を参照すると、本考案の実施例２の取り外し可能な重りを備えたゴルフクラブヘッドが掲示される。実施例１と比較してみると、実施例２においてヘッド本体１もウッド型のヘッドからなり、ヘッド本体１には実質上として打撃部１１、トー部１２、ヒール部１３、クラウン部、ソール部１４と側壁部１５の基本構造が含まれ、そしてヘッド本体１の組立凹部１６は側壁部１５に凹むように設けられる。組立凹部１６はヘッド本体１の表面から内へ向かって延伸するように円形の凹部またはその他の幾何形状の凹部が設けられ、そして組立凹部１６は少なくとも側壁部１５の後半部に形成される。これにより、本考案の実施例２においても同様に位置決め部材４を利用して重り２をヘッド本体１の側壁部１５の組立凹部１６の内に固定することができるため、ウッド型ゴルフクラブヘッドの全体の重心を側壁部１５に接近するように調整することができる。そして、振動吸収スペーサ３と位置決め部材４との組合せにより、重り２の調整の自由度、組立の安定性と取り換えの便利性を高めることができ、さらにゴルフクラブヘッドの結合の信頼性を高めることができると共に、重心位置を調整することができる。
【実施例３】
【００２１】
図５を参照すると、本考案の実施例３の取り外し可能な重りを備えたゴルフクラブヘッドが掲示される。実施例１、２と比較してみると、実施例３においてヘッド本体１はアイアン型のヘッドからなり、ヘッド本体１には実質上として打撃部（図示せず）、トー部１２、ヒール部１３、刃部１７（blade）とソール部１４の基本構造が含まれ、そしてヘッド本体１の組立凹部１６はソール部１４に凹むように設けられる。組立凹部１６はヘッド本体１の表面から内へ向かって延伸するように円形の凹部またはその他の幾何形状の凹部が設けられ、そして組立凹部１６は適当にヘッド本体１の内部へ向かって延伸するように形成される。これにより、本考案の実施例３においても同様に位置決め部材４を利用して重り２をヘッド本体１のソール部１４の組立凹部１６の内に固定することができるため、アイアン型ゴルフクラブヘッドの全体の重心をソール部１４の後側に接近するように調整することができる。そして、振動吸収スペーサ３と位置決め部材４との組合せにより、重り２の調整の自由度、組立の安定性と取り換えの便利性を高めることができ、さらにゴルフクラブヘッドの結合の信頼性を高めることができると共に、重心位置を調整することができる。
【産業上の利用可能性】
【００２２】
上述の如く、従来の取り外し可能なゴルフクラブヘッドの重りによれば、重りをヘッド本体の表面の組立凹部まで対応するように結合させ、さらにボルトを利用して螺合による組立を行うことにより、打球時において上記ボルトが緩み易くなって脱落したりするため、上記重りと上記ヘッド本体との間の結合の安定性が低下してしまうなどの問題点があったが、図１に示す本考案の取り外し可能なゴルフクラブヘッドの重りによれば、少なくとも一個の振動吸収スペーサ３を重り２の少なくとも一方に嵌め込み、再び重り２を振動吸収スペーサ３と一緒に共同で位置決め部材４の収容室４１０の内に収容し、さらに位置決め部材４の外ねじ４１１を組立凹部１６の内ねじ１６０に対応するように螺合することにより、確実に重り２をヘッド本体１まで組み立てるとの結合の信頼性と振動吸収性を高めることができ、さらにゴルフクラブヘッドの全体の重心位置を調整することができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１の取り外し可能な重りを備えたゴルフクラブヘッドの分解斜視図である。
【図２】本考案の実施例１の取り外し可能なゴルフクラブヘッドの重りの分解断面図である。
【図３】本考案の実施例１の取り外し可能なゴルフクラブヘッドの重りの組立て状態を示す断面図である。
【図４】本考案の実施例２の取り外し可能な重りを備えたゴルフクラブヘッドの分解斜視図である。
【図５】本考案の実施例３の取り外し可能な重りを備えたゴルフクラブヘッドの分解斜視図である。
【符号の説明】
【００２５】
１    ヘッド本体                    １１    打撃部
１２    トー部                        １３    ヒール部
１４    ソール部                      １５    側壁部
１６    組立凹部                    １６０    内ねじ
１６１    位置決め孔                    １７    刃部
２    重り                          ２０    当接突出リング
３    振動吸収スペーサ              ３０    組立孔
４    位置決め部材                  ４０    本体
４００    プラグ孔                    ４０１    位置決め孔
４１    環状壁                      ４１０    収容室
４１１    外ねじ